(57)【要約】【課題】ＢＣＡ判定方式において、傷がある領域でもＢＣＡ領域を誤判定してしまう現象が発生せず、また、ＦＧを使用しないシステムにおいて、欠落幅が回転ばらつきに依存してばらついてしまい、ＢＣＡ領域を誤判定してしまうことを防止する。【解決手段】所定の時間内でＢＣＡ領域（付加情報信号の再生領域）の一次判断を行い、その連続性を調査することでＢＣＡ領域であるかどうかを調査する手段を持つ。ＢＣＡ領域の一次判断には欠落信号の数をカウントする方法、あるいは最大時間幅を利用する。さらに連続領域周期から1周の時間長さを判定しＦＧを使用することなく安定してＢＣＡ領域を判定する手段を設ける。領域が不安定な場合を検出する手段をもち、不安定時には欠落検出レベルを変更する手段を持つ。【選択図】図１
2007323690.tif 000002
【特許請求の範囲】
【請求項１】
所定のトラック形態で情報信号が記録され、かつ前記情報信号の欠落に基づいて付加情報信号が記録された再生領域を有する円盤状記録媒体を回転させる回転手段と、前記円盤状記録媒体に光ビームを照射する手段と、光ビームを前記円盤状記録媒体の記録面及び記録トラックに追従させ、光ビームの反射光を検出することにより、前記情報信号及び前記付加情報信号を再生する光ビーム制御手段とを備えた光ディスク再生装置であって、
前記光ビームの反射光に基づく信号を処理して測定した前記情報信号と前記付加情報信号を一次判断する手段と、
前記円盤状記録媒体が１周する時間をＮ分割した所定の時間内での前記情報信号と前記付加情報信号の一次判断をＮ回実行して記憶する手段とを備え、
前記一次判断された前記付加情報信号の再生領域が所定の範囲内で連続していると判断されることで前記付加情報信号の再生領域であることを確定させることを特徴とする光ディスク再生装置。
【請求項２】
所定の時間内での欠落数をカウントする手段と、カウントした前記欠落数を記憶する手段とを備え、
前記所定の時間内で前記欠落数が一定の範囲に入ったか否かにより前記情報信号と前記付加情報信号を一次判断する請求項１記載の光ディスク再生装置。
【請求項３】
前記欠落の時間幅が所定の範囲にあることを検知する手段を有し、
前記欠落の時間幅が所定の範囲にないときに欠落数のカウントを停止する請求項２記載の光ディスク再生装置。
【請求項４】
前記所定の時間内で欠落の時間幅を測定する手段と、前記欠落の時間幅の最大値を記憶する手段とを備え、
前記所定の時間内で前記欠落の時間幅の最大値が一定の範囲に入ったか否かにより前記情報信号と前記付加情報信を一次判断する請求項１記載の光ディスク再生装置。
【請求項５】
前記情報信号と前記付加情報信号の一次判断のＮ回の記録から前記付加情報信号と判定された連続数により、前記情報信号と前記付加情報信号の再測定を実行する請求項１，２，３または４記載の光ディスク再生装置。
【請求項６】
前記付加情報信号の検出レベルを変更する手段を備え、
前記情報信号と前記付加情報信号の再測定を実行する際には前記付加情報信号の検出レベルを変更する請求項５記載の光ディスク再生装置。
【請求項７】
前記情報信号と前記付加情報信号の一次判断のＮ回の記録から前記付加情報信号と判定された連続数により１周の周期を算出する手段を備えた請求項１，２，３，４，５または６記載の光ディスク再生装置。
【請求項８】
前記一次判断の連続条件を可変とする手段を備え、
前記１周の周期により前記一次判断の連続条件を変更する請求項７記載の光ディスク再生装置。
【請求項９】
前記一次判断により前記付加情報信号と判定された領域を抜き出す手段と、
前記抜き出された領域の欠落の時間幅の平均を取得する手段とを備え、
前記欠落の時間幅の平均により前記情報信号と前記付加情報信号を判断する請求項１，２，３，４，５，６，７または８記載の光ディスク再生装置。
【請求項１０】
前記一次判断により前記付加情報信号と判定された領域を抜き出す手段と、
前記抜き出された領域の全領域に対する割合を取得する手段とを備え、
前記割合により前記情報信号と前記付加情報信号を判断する請求項１，２，３，４，５，６，７または８記載の光ディスク再生装置。
【発明の詳細な説明】
【技術分野】
【０００１】
本発明は、ＢＣＡ、ＮＢＣＡに対応する光ディスク再生装置の、特にＦＧを使用しないシステムや傷強化システムを実現できる光ディスク再生装置に関するものである。
【背景技術】
【０００２】
近年、コンテンツ情報の著作権管理はますます重要視され、ＤＶＤにおいても内周部のリードインエリア付近もしくは更にその内周側の特定領域にある、ＢＣＡ（Burst Cuting Area）、ＮＢＣＡ（Narrow Burst Cuting Area）を用いて著作権管理を実施している。このＢＣＡは工場等においてディスクの製造工程が終了した後、レーザを用いて、記録情報信号を断続的に欠落させることにより、付加情報をディジタル信号として記録されたものである。
【０００３】
以下ＢＣＡについて図９を用いて説明する。
【０００４】
図中、１１０１は連続溝（トラック）を持ち、この溝に沿って記録膜にレーザーを照射することにより、相変化（結晶状態とアモルファス状態）によって信号を記録可能な記録領域である。１１０２はディスクを再生するための制御情報が記録されたエンボス領域である。この領域はエンボスピットと呼ばれる凹凸で信号が記録されており、再生専用の領域である。１１０３は、ディスク固有の付加情報がＢＣＡコードとして記録されたＢＣＡ領域である。１１０４はＢＣＡ領域のディスクの円周方向の角度を示し、最大で約３００度である。また、ＢＣＡ領域１１０３はディスク半径方向でエンボス領域１１０２と重なっている。この部分を見るとエンボス部の情報信号がＢＣＡコードによって断続的に欠落している。
【０００５】
図１１はエンボス領域１１０２とＢＣＡ領域１１０３が重なった部分におけるディスクからの再生信号の波形を示したものである。図１１において横軸は時間、縦軸は信号レベルを示し、上図の拡大が下図となっている。図中、３０１はエンボスピットによって記録された情報信号成分であり、Ｔｂはその周期を示す。３０２は情報信号成分が欠落している期間Ｔａを示す。ＢＣＡコードは、ランレングス符号で変調されて記録されており、再生装置では、情報信号の欠落周期を検出することにより、記録されたＢＣＡコードを読み取ることが可能である。このＢＣＡ読取にあたっては、ＢＣＡの領域であることを判別する精度が重要であることは言うまでもない。
【０００６】
ところで、ＢＣＡ領域判別を行う際、欠落部分が存在するため、光ディスクのピットによる回転制御は期待できず、ピットによらない制御方法を用いる場合が多い。例えばディスク１回転で決まった数のパルスを出力する信号（以下、ＦＧ信号）を用いれば回転制御が可能である。しかしながら近年、安価なシステムを実現するため、ＦＧ信号を使用しないシステムが増加しており、一定の駆動電圧をかけるだけでＢＣＡ領域の回転制御を行うシステムも増加している。
【０００７】
従来のＢＣＡ領域判別について、以下図面を用いて説明する。
【０００８】
図１０は従来のディスク再生装置ブロック図で、特にＢＣＡ領域判別に関するブロック図である。図１０において、２０１は再生するディスク、２０２はスピンドルモータ、２０３は光ピックアップ、２０４はディスクのピット情報をピックアップ出力（ＲＦ信号）にて取得する手段、２０５はＲＦ信号取得手段２０４で得たＲＦ信号から欠落信号を検出する手段、２０６は欠落信号の時間幅を測定する手段、２０７は光ディスク１周分のデータをＮ分割する手段、２０８は欠落信号幅測定手段２０６と１周Ｎ分割手段２０７の結果を記憶する手段、２０９は欠落信号の時間幅の最大値を検出する手段、２１０は欠落信号の時間幅の最大値からＢＣＡ領域の判別を行う手段である。
【０００９】
以下、従来のＢＣＡ領域判別の動作について説明する。ピックアップはレーザーを集光する対物レンズを持ち、ディスクからの反射光を検出することによって、ＲＦ信号を生成する。ＲＦ信号の立ち上がり/立下りエッジの間隔を測定することにより図１１の信号Ｔａ、Ｔｂを取得し、基準を超える時間長さとなった場合に欠落信号とみなす。あるいは、ＲＦ信号を所定の電圧で２値化することにより、欠落信号を生成する（図２参照）。この欠落信号の立ち上がり/立下りエッジの間隔で測定することにより、欠落信号の時間幅を測定する。ディスクを１周するのに要する時間ＴをＮ分割した時間ｔの間、欠落信号の時間幅の最大値をＮ回測定し、Ｎ個の最大値の中で、言い換えれば１周中で最も大きな欠落信号の最大値ｔｍａｘを求める。このｔｍａｘが所定の範囲内に収まる場合にＢＣＡ領域であると判断する。この手法を用いることでＢＣＡ領域の長短に関わらず欠落長さを安定に取り出し判別を行うことが可能となる。
【特許文献１】特開平２００２−２７９６２４号公報
【発明の開示】
【発明が解決しようとする課題】
【００１０】
従来の技術により、ＢＣＡ領域の長短に関わらずＢＣＡ領域判定を安定に実行できるが、欠落幅を用いてＢＣＡ領域を決定してしまうため、図１２（ａ）に示すように大きな傷が一部にある領域では６０１Ｔｃの値を取得することにより、ＢＣＡ領域の欠落範囲を超えＢＣＡ領域でないと誤判定してしまう、あるいは図１２（ｂ）に示すように傷の６０２Ｔｄの欠落信号長さを取得することにより、ＢＣＡ領域範囲内であると誤認識する現象が発生しうる。ＦＧを使用するシステムでは図１４に示すように回転速度が遅くなることをＦＧの幅で検知することが可能である。図１３に示すように、ＦＧを使用しないシステムとして一定駆動電圧による回転制御を用いた場合、図１４のような回転速度を検知することができないため欠落幅は回転速さのばらつきに依存して伸縮することになり、従来手法での判定基準である欠落長さがばらついてしまう状況が発生する。
【００１１】
したがって、本発明の目的は、ＢＣＡ判定方式において、傷がある領域でもＢＣＡ領域を誤判定してしまう現象が発生せず、また、ＦＧを使用しないシステムにおいて、欠落幅が回転ばらつきに依存してばらついてしまい、ＢＣＡ/ＮＢＣＡ領域を誤判定してしまうことがない光ディスク再生装置を提供することである。
【課題を解決するための手段】
【００１２】
上記課題を解決するために、本発明の光ディスク再生装置は、所定の時間内でＢＣＡ領域の一次判断を行う手段を持ち、その連続性を調査することでＢＣＡ領域であるかどうかを調査する手段を持つ。ＢＣＡ領域の一次判断には領域内の欠落の数をカウントし、所定のレベルを超えた場合にＢＣＡ領域と一次判断する手段、あるいは領域内の欠落最大幅を検出し欠落最大幅が所定の範囲内であった場合ＢＣＡ領域と一次判断する手段を持つ。欠落数カウントの精度を向上させるために欠落幅によるフィルタリングを行う手段を持つ。欠落の数のカウントさらに連続領域から１周の周期を測定し、周期を用いてＢＣＡ領域の最終判定基準を正規化する手段を持つ。連続領域が不安定な場合を検出する手段をもち、不安定時には欠落検出レベルを変更する手段を持つ。
【００１３】
すなわち、本発明の請求項１記載の光ディスク再生装置は、所定のトラック形態で情報信号が記録され、かつ前記情報信号の欠落に基づいて付加情報信号が記録された再生領域を有する円盤状記録媒体を回転させる回転手段と、前記円盤状記録媒体に光ビームを照射する手段と、光ビームを前記円盤状記録媒体の記録面及び記録トラックに追従させ、光ビームの反射光を検出することにより、前記情報信号及び前記付加情報信号を再生する光ビーム制御手段とを備えた光ディスク再生装置であって、前記光ビームの反射光に基づく信号を処理して測定した前記情報信号と前記付加情報信号を一次判断する手段と、前記円盤状記録媒体が１周する時間をＮ分割した所定の時間内での前記情報信号と前記付加情報信号の一次判断をＮ回実行して記憶する手段とを備え、前記一次判断された前記付加情報信号の再生領域が所定の範囲内で連続していると判断されることで前記付加情報信号の再生領域であることを確定させる。
【００１４】
請求項２記載の光ディスク再生装置は、請求項１記載の光ディスク再生装置において、前記所定の時間内での欠落数をカウントする手段と、カウントした前記欠落数を記憶する手段とを備え、前記所定の時間内で前記欠落数が一定の範囲に入ったか否かにより前記情報信号と前記付加情報信号を一次判断する。
【００１５】
請求項３記載の光ディスク再生装置は、請求項２記載の光ディスク再生装置において、前記欠落の時間幅が所定の範囲にあることを検知する手段を有し、前記欠落の時間幅が所定の範囲にないときに欠落数のカウントを停止する。
【００１６】
請求項４記載の光ディスク再生装置は、請求項１記載の光ディスク再生装置において、前記所定の時間内で欠落の時間幅を測定する手段と、前記欠落の時間幅の最大値を記憶する手段とを備え、前記所定の時間内で前記欠落の時間幅の最大値が一定の範囲に入ったか否かにより前記情報信号と前記付加情報信を一次判断する。
【００１７】
請求項５記載の光ディスク再生装置は、請求項１，２，３または４記載の光ディスク再生装置において、前記情報信号と前記付加情報信号の一次判断のＮ回の記録から前記付加情報信号と判定された連続数により、前記情報信号と前記付加情報信号の再測定を実行する。
【００１８】
請求項６記載の光ディスク再生装置は、請求項５記載の光ディスク再生装置において、前記付加情報信号の検出レベルを変更する手段を備え、前記情報信号と前記付加情報信号の再測定を実行する際には前記付加情報信号の検出レベルを変更する。
【００１９】
請求項７記載の光ディスク再生装置は、請求項１，２，３，４，５または６記載の光ディスク再生装置において、前記情報信号と前記付加情報信号の一次判断のＮ回の記録から前記付加情報信号と判定された連続数により１周の周期を算出する手段を備えた。
【００２０】
請求項８記載の光ディスク再生装置は、請求項７記載の光ディスク再生装置において、前記一次判断の連続条件を可変とする手段を備え、前記１周の周期により前記一次判断の連続条件を変更する。
【００２１】
請求項９記載の光ディスク再生装置は、請求項１，２，３，４，５，６，７または８記載の光ディスク再生装置において、前記一次判断により前記付加情報信号と判定された領域を抜き出す手段と、前記抜き出された領域の欠落の時間幅の平均を取得する手段とを備え、前記欠落の時間幅の平均により前記情報信号と前記付加情報信号を判断する。
【００２２】
請求項１０記載の光ディスク再生装置は、請求項１，２，３，４，５，６，７または８記載の光ディスク再生装置において、前記一次判断により前記付加情報信号と判定された領域を抜き出す手段と、前記抜き出された領域の全領域に対する割合を取得する手段とを備え、前記割合により前記情報信号と前記付加情報信号を判断する。
【発明の効果】
【００２３】
本発明の請求項１記載の光ディスク再生装置によれば、一次判断された付加情報信号の再生領域が所定の範囲内で連続していると判断されることで付加情報信号の再生領域であることを確定させるので、傷がある場合でも安定した付加情報信号が記録されたＢＣＡ領域判別を実現することが可能となる。
【００２４】
請求項２では、所定の時間内で欠落数が一定の範囲に入ったか否かにより情報信号と付加情報信号を一次判断するので、欠落数が一定の範囲に入った場合はＢＣＡ領域、そうでない場合はＢＣＡ以外の領域として判定できる。
【００２５】
請求項３では、欠落の時間幅が所定の範囲にないときに欠落数のカウントを停止することで、ＢＣＡ領域として記録されない。
【００２６】
請求項４では、所定の時間内で欠落の時間幅の最大値が一定の範囲に入ったか否かにより情報信号と付加情報信を一次判断するので、欠落の時間幅の最大値が一定の範囲に入った場合はＢＣＡ領域、そうでない場合はＢＣＡ以外の領域として判定できる。
【００２７】
請求項５では、情報信号と付加情報信号の一次判断のＮ回の記録から付加情報信号と判定された連続数により、情報信号と前記付加情報信号の再測定を実行するので、付加情報信号の再生領域が不安定な場合でも対応できる。
【００２８】
請求項６では、付加情報信号の検出レベルを変更する手段を備え、情報信号と付加情報信号の再測定を実行する際には付加情報信号の検出レベルを変更するので、欠落数のカウント精度を向上させることができる。
【００２９】
請求項７では、情報信号と付加情報信号の一次判断のＮ回の記録から付加情報信号と判定された連続数により１周の周期を算出する手段を備えたので、１周長さをＢＣＡ領域周期から検出することにより、ＦＧを使用しないシステムを用いた場合でもＢＣＡ領域判定が不安定とならないシステムを実現可能となる。
【００３０】
請求項８では、一次判断の連続条件を可変とする手段を備え、１周の周期により一次判断の連続条件を変更するので、ＢＣＡ領域判定が不安定な時には欠落検出レベルを変更することで対応できる。
【００３１】
請求項９では、抜き出された領域の欠落の時間幅の平均により情報信号と付加情報信号を判断するので、ＢＣＡ領域を判断することができる。
【００３２】
請求項１０では、抜き出された領域の全領域に対する割合により情報信号と付加情報信号を判断するので、ＢＣＡ領域を判断することができる。
【発明を実施するための最良の形態】
【００３３】
以下、本発明の第１の実施形態について、図１〜図６に基づいて説明する。
【００３４】
図１は本発明の第１の実施形態におけるディスク再生装置のブロック図である。図１において、１０１は再生する光ディスク、１０２はスピンドルモータ、１０３は光ピックアップ、１０４はディスクのピット情報をピックアップ出力（ＲＦ信号）にて取得するＲＦ信号取得手段、１０５はＲＦ信号取得手段１０４で得たＲＦ信号から欠落信号を検出する欠落信号検出手段、１０６は欠落信号の時間幅を測定する欠落信号幅測定手段、１０７は欠落信号のカウント用フィルタ、１０８は測定をＮ分割するＮ分割手段、１０９は欠落信号幅測定手段１０６とカウント用フィルタ１０７の結果を記憶する結果記憶手段、１１０はＮ分割した測定値の一次判断を行う各分割領域判断手段、１１１は各分割領域判断手段１１０での一次判断結果が連続しているかでＢＣＡ領域かどうかの総合判定を行う連続個数判断手段、１１２は領域の周期性から１周の長さを検出する１周長さ判断手段、１１３は１周長さ判断手段１１２での１周の時間情報をもとに判定条件を正規化する割合判断手段、１１４は欠落信号の時間幅の最大値を求める欠落信号最大値取得手段、１１５は各分割領域判断手段１１０でＢＣＡ領域と一次判断された領域の欠落信号時間幅最大値のみ平均する平均判断手段、１１６は欠落信号レベルを変更する欠落検出レベル変更手段である。
【００３５】
以下、本発明のＢＣＡ領域判別の信号動作について説明する。ピックアップ１０３はレーザーを集光する対物レンズを持ち、ディスク１０１からの反射光を検出することによって、ＲＦ信号取得手段１０４によりＲＦ信号を生成する。図２を用いて欠落信号生成について説明する。図２に示すように、検出手段１０５はＲＦ信号を２値化することで欠落信号を生成する。（ａ）は適切な場合、（ｂ）は不適切な場合である。２値化する電圧は任意の電圧に設定変更可能である。
【００３６】
所定の時間の一次判断について説明する。ＢＣＡ欠落信号のカウントでは、図３に示すＴｍｉｎ＜ｔ、t＜Ｔｍａｘとなる信号をフィルタリングする手段を用いる（カウント用フィルタ１０７）。フィルタ通過後の信号を用いて欠落カウント手段により欠落数をカウントする。任意の時間のカウント数が所定の範囲に入った場合はＢＣＡ、そうでない場合はＢＣＡ以外として一次判断を行う。なお、欠落の時間幅が所定の範囲にあることを検知する手段を有し、欠落の時間幅が所定の範囲にないときに欠落数のカウントを停止してもよい。
【００３７】
上記の一次判断はＮ分割手段１０８によってＮ回実行され、結果は結果記憶手段１０９に記憶される。記憶された情報をもとにＢＣＡ領域の連続判定のチェックを行い図４の結果を得る。図４からＢＣＡ領域とされる部分の周期をカウントすることが可能となる。例えば１０回から３１回で周期は２１とする。この周期から割合判断手段１１３で全領域でのＢＣＡ領域の割合を判定することが可能となる。もしくは連続個数判断手段１１１によりＢＣＡ領域の連続長さを比較し、所定の範囲内であれば全体としてＢＣＡ領域であると判断する。さらに平均判断手段１１５によりＢＣＡ領域と一次判断されている部分の最大欠落幅の平均を用いてＢＣＡ領域であると判断する。これらの最終判断の際、ＢＣＡに近いと判断された場合は、ＢＣＡの２値化電圧レベルを変更し上記手順を再実行する。図５のフローは、連続個数判断手段１１１により判断した場合に相当する。
【００３８】
図５を用いて制御手順について説明する。最初に領域の欠落信号を所定時間測定し、ＢＣＡ領域の仮判定結果を記録する。Ｎ回測定後、仮ＢＣＡ領域の連続性をチェックし、ＢＣＡ領域とそれ以外の領域を判定する。ＢＣＡ領域が繰り返し現れることを利用してＢＣＡ領域の最終判断基準Ａ、Ａ’、Ｂ、Ｂ’を図６のように決定する。連続領域の長さがＡ’≦長さ≦Ａであった場合にはＢＣＡ領域と判断し終了する。それ以外でＢ‘≦長さ≦Ｂとなった場合には欠落検出レベルを変更して領域一次判断からやり直す。それ以外の長さで有った場合にはＢＣＡ領域ではないと判断する。
【００３９】
以下、本発明の第２の実施形態について、図７に基づいて説明する。なお、図１〜４，６を参照する。
【００４０】
光ディスク再生装置の全体構成は図１と同様である。すなわち、ピックアップ１０３はレーザーを集光する対物レンズを持ち、ディスク１０１からの反射光を検出することによって、ＲＦ信号取得手段１０４によりＲＦ信号を生成する。図２を用いて欠落信号生成について説明する。図２に示すように、検出手段１０５はＲＦ信号を２値化することで欠落信号を生成する。２値化する電圧は任意の電圧に設定変更可能である。
【００４１】
所定の時間の一次判断について説明する。所定の時間、欠落信号の最大時間幅を計測し、この欠落信号の時間幅が所定の範囲に入った場合はＢＣＡ領域、そうでない場合はＢＣＡ領域以外として一次判断を行う。
【００４２】
上記の一次判断はＮ分割手段１０８によってＮ回実行され、結果は結果記憶手段１０９に記憶される。記憶された情報をもとにＢＣＡ領域の連続判定のチェックを行い図４の結果を得る。図４からＢＣＡ領域とされる部分の周期をカウントすることが可能となる。例えば１０回から３１回で周期は２１とする。この周期から割合判断手段１１３で全領域でのＢＣＡ領域の割合を判定することが可能となる。もしくは連続個数判断手段１１１によりＢＣＡ領域の連続長さを比較し、所定の範囲内であれば全体としてＢＣＡ領域であると判断する。さらに平均判断手段１１５によりＢＣＡ領域と一次判断されている部分の最大欠落幅の平均を用いてＢＣＡ領域であると判断する。これらの最終判断の際、ＢＣＡ領域に近いと判断された場合は、ＢＣＡ領域の２値化電圧レベルを変更し上記手順を再実行する。
【００４３】
図７を用いて制御手順について説明する。最初に領域の欠落信号を所定時間測定し、ＢＣＡ領域の欠落信号最大長さが目標範囲内であった場合、ＢＣＡ領域の仮判定結果を記録する。Ｎ回測定後、仮ＢＣＡ領域の連続性をチェックし、ＢＣＡ領域とそれ以外の領域を判定する。ＢＣＡ領域が繰り返し現れることを利用してＢＣＡ領域の最終判断基準Ａ、Ａ’、Ｂ、Ｂ’を図６のように決定する。連続領域の長さがＡ’≦長さ≦Ａであった場合にはＢＣＡ領域と判断し終了する。それ以外でＢ‘≦長さ≦Ｂとなった場合には欠落検出レベルを変更して領域一次判断からやり直す。それ以外の長さで有った場合にはＢＣＡ領域ではないと判断する。
【００４４】
以下、本発明の第３の実施形態について、図８に基づいて説明する。なお、第１の実施形態と同様の構成は図１〜４，６を参照する。
【００４５】
光ディスク再生装置の全体構成は図１と同様である。すなわち、ピックアップ１０３はレーザーを集光する対物レンズを持ち、ディスク１０１からの反射光を検出することによって、ＲＦ信号取得手段１０４によりＲＦ信号を生成する。図２を用いて欠落信号生成について説明する。検出手段１０５はＲＦ信号を２値化することで欠落信号を生成する。２値化する電圧は任意の電圧に設定変更可能である。
【００４６】
所定の時間の一次判断について説明する。ＢＣＡ欠落信号のカウントでは、図３に示すＴｍｉｎ＜ｔ、t＜Ｔｍａｘとなる信号をフィルタリングする手段を用いる（カウント用フィルタ１０７）。フィルタ通過後の信号を用いて欠落カウント手段により欠落数をカウントする。任意の時間のカウント数が所定の範囲に入った場合はＢＣＡ領域、そうでない場合はＢＣＡ領域以外として一次判断を行う。なお、所定の時間の一次判断については、所定の時間、欠落信号の最大時間幅を計測し、この欠落信号の時間幅が所定の範囲に入った場合はＢＣＡ領域、そうでない場合はＢＣＡ領域以外として一次判断を行ってもよい。
【００４７】
上記の一次判断はＮ分割手段１０８によってＮ回実行され、結果は結果記憶手段１０９に記憶される。記憶された情報をもとにＢＣＡ領域の連続判定のチェックを行い図４の結果を得る。連続個数判断手段１１１によりＢＣＡ領域の連続長さを比較し、所定の範囲内であれば、この範囲内の欠落信号幅の平均を用いてＢＣＡ領域が目標の範囲内であるかを判断する。この判断により、最終のＢＣＡ領域であるかどうかを判断する。これらの最終判断の際、ＢＣＡ領域に近いと判断された場合または、連続領域は判断されたが、平均欠落信号幅が目標範囲内でなかった場合は、ＢＣＡ領域の２値化電圧レベルを変更し上記手順を再実行する。
【００４８】
図８を用いて制御手順について説明する。最初に領域の欠落信号を所定時間測定し、ＢＣＡ領域の仮判定結果を記録する。Ｎ回測定後、仮ＢＣＡ領域の連続性をチェックし、ＢＣＡ領域とそれ以外の領域を判定する。ＢＣＡ領域が繰り返し現れることを利用して１周期の長さを割り出し、ＢＣＡ領域の最終判断基準Ａ、Ａ’、Ｂ、Ｂ’を図６のように決定する。連続領域の長さがＡ’≦長さ≦Ａであった場合には連続領域内の最大欠落信号幅の平均を算出し、目標範囲内であれば、ＢＣＡ領域であると判断し終了する。最大欠落信号幅の平均が目標範囲外であれば、欠落検出レベルを変更して領域一次判断からやり直す。連続領域がＢ‘≦長さ≦Ｂとなった場合には欠落検出レベルを変更して領域一次判断からやり直す。連続領域がそれ以外の長さで有った場合にはＢＣＡ領域ではないと判断する。
【００４９】
なお、第１、第２、第３の実施形態は同時に行ってよいことはいうまでもない。
【産業上の利用可能性】
【００５０】
本発明における光ディスク再生装置は、一定の領域内でＢＣＡ領域であるかどうかの調査を行い、連続性を調査することで傷のあるディスクでも安定してＢＣＡ領域を検出することが可能であり、さらに１周長さを領域長さから検知することでＦＧを使用しないシステムであ安定したＢＣＡ判別を可能とするため、従来と比較して安価なシステムでも従来以上のＢＣＡ領域判定能力を持つディスク再生装置の実現に関して有用である。
【図面の簡単な説明】
【００５１】
【図１】本発明の第１の実施形態の光ディスク再生装置のブロック図である。
【図２】欠落信号検出及び欠落検出レベル変更の説明図である。
【図３】欠落信号の検出幅設定の説明図である。
【図４】欠落情報テーブルである。
【図５】第１の実施形態のＢＣＡ領域判断フロー図である。
【図６】ＢＣＡ領域の最終判断基準の説明図である。
【図７】本発明の第２の実施形態のＢＣＡ領域判断フロー図である。
【図８】本発明の第３の実施形態のＢＣＡ領域判断フロー図である。
【図９】ＢＣＡの説明図である。
【図１０】従来例のブロック図である。
【図１１】ＲＦ信号から欠落信号を検出する説明図である。
【図１２】傷がある場合のＢＣＡ領域判定の問題を示す説明図である。
【図１３】ＦＧを使用しないシステムとして一定駆動電圧による回転制御を用いた場合の説明図である。
【図１４】ＦＧ説明図である。
【符号の説明】
【００５２】
１０１  光ディスク
１０４  ＲＦ信号取得手段
１０５  欠落信号検出手段
１０６  欠落信号幅測定手段
１０７  カウント用フィルタ
１０８  Ｎ分割手段
１０９  結果記憶手段
１１０  各分割領域判断手段
１１１  連続個数判断手段
１１２  １周長さ判断手段
１１３  割合判断手段
１１４  欠落信号最大値取得手段
１１５  平均判断手段
１１６  欠落検出レベル変更手段
【図１】
2007323690.tif 000003
【図２】
2007323690.tif 000004
【図３】
2007323690.tif 000005
【図４】
2007323690.tif 000006
【図５】
2007323690.tif 000007
【図６】
2007323690.tif 000008
【図７】
2007323690.tif 000009
【図８】
2007323690.tif 000010
【図９】
2007323690.tif 000011
【図１０】
2007323690.tif 000012
【図１１】
2007323690.tif 000013
【図１２】
2007323690.tif 000014
【図１３】
2007323690.tif 000015
【図１４】
2007323690.tif 000016